(57)【要約】【課題】デュアルディスクとＣＤとを切り替えた場合のフォーカスポイント検出時における高速化及び調整品質の安定化を図る。【解決手段】ピックアップ装置には、ＣＤ若しくはデュアルディスクに対してレーザ光を発光する発光部と、発光部から発光されたレーザ光を集光し、ＣＤの情報面若しくはデュアルディスクのＣＤ情報面上に物体焦点を形成するための対物レンズと、ＣＤ若しくはデュアルディスクにより反射して、対物レンズを透過したレーザ光を受光する受光部と、レーザ光の進行方向に沿う方向に対物レンズを移動させて、ＣＤの情報面上若しくはデュアルディスクのＣＤ情報面上に物体焦点を形成するためのレンズ移動部とが備えられている。受光部は、対物レンズの物体焦点がＣＤの情報面に位置した場合及び対物レンズの物体焦点がデュアルディスクのＣＤ情報面に位置した場合のいずれの場合でも対物レンズの像側焦点に配置されている。【選択図】図３
2007265550.tif 000002
【特許請求の範囲】
【請求項１】
ＣＤ若しくはデュアルディスクに対してレーザ光を発光する発光部と、
前記発光部から発光されたレーザ光を集光し、ＣＤの情報面若しくはデュアルディスクのＣＤ情報面上に物体焦点を形成するための対物レンズと、
ＣＤ若しくはデュアルディスクにより反射して、前記対物レンズを透過したレーザ光を受光する受光部と、
前記レーザ光の進行方向に沿う方向に前記対物レンズを移動させて、ＣＤの情報面上若しくはデュアルディスクのＣＤ情報面上に物体焦点を形成するためのレンズ移動部とを備え、
前記受光部は、
前記レンズ移動部によって前記対物レンズの物体焦点がＣＤの情報面に位置した場合及び前記対物レンズの物体焦点がデュアルディスクのＣＤ情報面に位置した場合のいずれの場合でも前記対物レンズの像側焦点に配置されていることを特徴とするピックアップ装置。
【請求項２】
請求項１記載のピックアップ装置において、
前記対物レンズにおける像側に配置されて、前記対物レンズを透過したレーザ光を２つに分光するプリズムを備え、
前記受光部は、ＣＤの情報面で反射したレーザ光が前記プリズムによって分光された一方の光による前記対物レンズの像側焦点及びデュアルディスクのＣＤ情報面で反射したレーザ光が前記プリズムによって分光された他方の光による前記対物レンズの像側焦点のそれぞれに配置されるように２つ設けられていることを特徴とするピックアップ装置。
【請求項３】
請求項１記載のピックアップ装置において、
前記レンズ移動部による前記対物レンズの移動に追従して前記受光部を移動させることで、前記レンズ移動部によって前記対物レンズの物体焦点がＣＤの情報面に位置した場合及び前記対物レンズの物体焦点がデュアルディスクのＣＤ情報面に位置した場合のいずれの場合でも前記受光部を前記対物レンズの像側焦点に配置させる受光移動部を備えることを特徴とするピックアップ装置。
【請求項４】
請求項１記載のピックアップ装置において、
前記対物レンズは物体側から入射したレーザ光を像側に平行光として透過するレンズであり、
前記対物レンズにおける像側には前記平行光を集光する集光レンズが配置されて、
前記受光部は、前記集光レンズの像側焦点に配置されていることを特徴とするピックアップ装置。
【発明の詳細な説明】
【技術分野】
【０００１】
本発明は、ピックアップ装置に関する。
【背景技術】
【０００２】
従来、単体でＤＶＤやＣＤを読み込む再生装置が知られている。この再生装置では、記録媒体の厚みを検出し、その検出結果から記録媒体がＣＤであるかＤＶＤであるかを認識して、ＣＤであった場合にはＣＤ用のトラッキングエラー信号生成手段を選択して、ＤＶＤであった場合にはＤＶＤ用のトラッキングエラー信号生成手段を選択することで、ＣＤ、ＤＶＤのいずれにおいてもデータを読み込むことができるようになっている（例えば特許文献１参照）。
近年、片面がＣＤ面、もう一方の面がＤＶＤ面という具合に１枚で異なる形式のデータを記憶するデュアルディスクが製品化されている。このデュアルディスクの再生装置においては、ＣＤやＤＶＤも再生できる兼用の再生装置も開発されている。ここで、デュアルディスクのＣＤ面はカバーレイヤが０．９ｍｍであって、通常のＣＤのカバーレイヤ１．２ｍｍである。このため、兼用の再生装置に搭載されるピックアップ装置では、フォーカスサーボループ内にデフォーカス調整電圧を加え、ＴＥ信号等の再生信号品質が向上していくように、フォーカス調整位置を見出し、そのフォーカスポイントにて信号再生を行っていた。すなわち、フォーカスポイントの微調整を行うことで、極力最良の状態で再生を実行できるようにしていた。
【特許文献１】特開２００２−８２３２号公報
【発明の開示】
【発明が解決しようとする課題】
【０００３】
しかしながら、上記の方法であると、ＣＤとデュアルディスクとを切り替えた場合に、その都度最良のフォーカスポイントを検出するまでの時間がかかってしまう。また、検出する信号の種類によっては分解能に大きな差が出て、調整品質が異なってしまう場合もあった。
【０００４】
本発明の課題は、デュアルディスクとＣＤとを切り替えた場合のフォーカスポイント検出時における高速化及び調整品質の安定化を図ることである。
【課題を解決するための手段】
【０００５】
請求項１記載の発明におけるピックアップ装置は、
ＣＤ若しくはデュアルディスクに対してレーザ光を発光する発光部と、
前記発光部から発光されたレーザ光を集光し、ＣＤの情報面若しくはデュアルディスクのＣＤ情報面上に物体焦点を形成するための対物レンズと、
ＣＤ若しくはデュアルディスクにより反射して、前記対物レンズを透過したレーザ光を受光する受光部と、
前記レーザ光の進行方向に沿う方向に前記対物レンズを移動させて、ＣＤの情報面上若しくはデュアルディスクのＣＤ情報面上に物体焦点を形成するためのレンズ移動部とを備え、
前記受光部は、
前記レンズ移動部によって前記対物レンズの物体焦点がＣＤの情報面に位置した場合及び前記対物レンズの物体焦点がデュアルディスクのＣＤ情報面に位置した場合のいずれの場合でも前記対物レンズの像側焦点に配置されていることを特徴としている。
【０００６】
請求項２記載の発明は、請求項１記載のピックアップ装置において、
前記対物レンズにおける像側に配置されて、前記対物レンズを透過したレーザ光を２つに分光するプリズムを備え、
前記受光部は、ＣＤの情報面で反射したレーザ光が前記プリズムによって分光された一方の光による前記対物レンズの像側焦点及びデュアルディスクのＣＤ情報面で反射したレーザ光が前記プリズムによって分光された他方の光による前記対物レンズの像側焦点のそれぞれに配置されるように２つ設けられていることを特徴としている。
【０００７】
請求項３記載の発明は、請求項１記載のピックアップ装置において、
前記レンズ移動部による前記対物レンズの移動に追従して前記受光部を移動させることで、前記レンズ移動部によって前記対物レンズの物体焦点がＣＤの情報面に位置した場合及び前記対物レンズの物体焦点がデュアルディスクのＣＤ情報面に位置した場合のいずれの場合でも前記受光部を前記対物レンズの像側焦点に配置させる受光移動部を備えることを特徴としている。
【０００８】
請求項４記載の発明は、請求項１記載のピックアップ装置において、
前記対物レンズは物体側から入射したレーザ光を像側に平行光として透過するレンズであり、
前記対物レンズにおける像側には前記平行光を集光する集光レンズが配置されて、
前記受光部は、前記集光レンズの像側焦点に配置されていることを特徴としている。
【発明の効果】
【０００９】
本発明によれば、レンズ移動部によって対物レンズの物体焦点がＣＤの情報面に位置した場合及び対物レンズの物体焦点がデュアルディスクのＣＤ情報面に位置した場合のいずれの場合でも対物レンズの像側焦点に受光部が配置されているので、デュアルディスクとＣＤとを切り替えた場合に逐一微調整を行わなくとも、迅速にフォーカスポイントを検出することが可能となる。また、対物レンズの物体焦点がいずれのディスクの情報面に位置していたとしても、像側焦点には受光部が配置されているので、効率的に信号を受信することができ、調整品質が向上されることになる。
【発明を実施するための最良の形態】
【００１０】
まず、以下の実施の形態の基本原理について説明する。図１は、本発明に係る基本原理を説明するための説明図である。ピックアップ装置１にセットされたＣＤ２やデュアルディスク３のディスク表面を図中のライン４とすると、ＣＤ２の場合にはライン４から例えば内側１．２ｍｍの地点が情報面５となり、デュアルディスク３の場合にはライン４から例えば内側０．９ｍｍの地点がＣＤ情報面６となる。
【００１１】
そして、ピックアップ装置１には、ＣＤ２やデュアルディスク３に対向するように対物レンズ７が配置されている。対物レンズ７は、図示しないレンズ移動部によって、レーザ光の進行方向に沿う方向に移動することで、ＣＤ２の情報面５上若しくはデュアルディスク３のＣＤ情報面６上に物体焦点を形成するようになっている。例えば、図１の対物レンズ７１はＣＤ２の情報面５に物体焦点を形成する位置に配置されていて、対物レンズ７２（図では点線部）ではデュアルディスク３のＣＤ情報面６に物体焦点を形成する位置に配置されている。
【００１２】
ここで、ＣＤ２の情報面５に物体焦点を形成する場合の対物レンズ７１と、ディスク表面（ライン４）までの作動距離をＷＤ1とし、デュアルディスク３のＣＤ情報面６に物体焦点を形成する場合の対物レンズ７２と、ディスク表面（ライン４）までの作動距離をＷＤ2とする。対物レンズ７の焦点距離Ｌ1は一定であるために、ＣＤ２の再生時においては合焦位置（物体焦点）がＰ1となる。合焦位置Ｐ1で合焦した状態であると対物レンズ７１は収差が補正されることになって、収差が最小となる。
【００１３】
次に、デュアルディスク３のＣＤ情報面６を再生すると、焦点距離Ｌ1は一定であるために合焦位置がＰ2となる。この合焦位置Ｐ2では合焦位置Ｐ1の場合と比較して空気境界までの距離が異なるので（１．２ｍｍに対して０．９ｍｍ）、１．２ｍｍで収差補正された対物レンズ７の合焦位置Ｐ2での収差は、合焦位置Ｐ1での収差よりも悪化し、集光スポットのビーム強度低下及びビーム径が大きくなり、収差の悪化現象が見られる。
【００１４】
合焦位置Ｐ1の場合の像側焦点はＦ1、合焦位置Ｐ2の場合の像側焦点はＦ2であり、この距離はＬ0で一定である。この距離Ｌ0は対物レンズ７の定数であり一定であるので、ＣＤ２の情報面５の再生と、デュアルディスク３のＣＤ情報面６の再生とでは、上記したように作動距離がＷＤ1とＷＤ2という具合に異なることになる。このように作動距離が異なれば距離Ｌ0が一定であっても、ＣＤ２の情報面５の再生時と、デュアルディスク３のＣＤ情報面６の再生時とでは、像側焦点Ｆ1，Ｆ2が図１に示すように一致しない。
【００１５】
像側焦点Ｆ1に相当する位置に、例えばフォトダイオードなどの受光部を配置すると、ＣＤ２の情報面５の再生は可能となるが、この受光部によりデュアルディスク３のＣＤ情報面６の再生を実行してしまうと、再生スポットがφ1だけボケることになる。つまり、デュアルディスク３のＣＤ情報面６の再生時においては像側焦点Ｆ2に相当する位置に受光部を配置することで、再生スポットがボケることを防止できることになる。
【００１６】
以上のことから、受光部は、対物レンズ７の物体焦点がＣＤ２の情報面５に位置した場合及び対物レンズ７の物体焦点がデュアルディスク３のＣＤ情報面６に位置した場合のいずれの場合でも対物レンズ７の像側焦点に配置されていると、デュアルディスク３とＣＤ２とを切り替えた場合に逐一微調整を行わなくとも、迅速にフォーカスポイントを検出することが可能となる。また、対物レンズ７の物体焦点Ｐ1，Ｐ2がいずれのディスクの情報面５，６に位置していたとしても、像側焦点Ｆ1，Ｆ2には受光部が配置されているので、効率的に信号を受信することができ、調整品質が向上されることになる。
【００１７】
以上の原理を踏まえ、以下本発明に係る実施形態について説明する。
【００１８】
［第１の実施の形態］
図２は第１の実施の形態のピックアップ装置１０の主制御構成を表すブロック図である。この図２に示すように、ピックアップ装置１０には、ＣＤ２若しくはデュアルディスク３に対してレーザ光を発光する発光部１１と、発光部１１から発光されたレーザ光を集光し、ＣＤ２の情報面５若しくはデュアルディスク３のＣＤ情報面６上に物体焦点を形成するための対物レンズ７と、ＣＤ２の情報面５で反射して対物レンズ７を透過したレーザ光を受光する第１受光部１２と、デュアルディスク３のＣＤ情報面６で反射して対物レンズを透過したレーザ光を受光する第２受光部１３と、レーザ光の進行方向に沿う方向に対物レンズ７を移動させて、ＣＤ２の情報面５上若しくはデュアルディスク３のＣＤ情報面６上に物体焦点を形成するためのレンズ移動部１４と、第１受光部１２及び第２受光部１３から使用する一方を選択する受光選択部１５と、これらを制御する制御部１６とが設けられている。
【００１９】
図３は、ピックアップ装置１０の対物レンズ７の配置例を表す説明図である。図３に示すように、ＣＤ２、デュアルディスク３及び対物レンズ７の配置は、すでに説明した図１のものと同じとなっている。そして、本実施形態であると、対物レンズ７における像側には、ＣＤ２の情報面５若しくはデュアルディスク３のＣＤ情報面６で反射し、対物レンズ７を透過したレーザ光を分光するプリズム１７が配置されている。このプリズム１７は、対物レンズ７を透過したレーザ光を２方向に分光する。本実施形態では、プリズム１７によって分光された一方のレーザ光は直進し、他方のレーザ光は直角に屈曲するようになっている。
【００２０】
この分光された一方のレーザ光の光路上には第１受光部１２が、分光された他方のレーザ光の光路上には第２受光部１３がそれぞれ配置されている。第１受光部１２の設置個所は、レンズ移動部１４によって物体焦点Ｐ1がＣＤ２の情報面５に位置した場合の対物レンズ７１の像側焦点Ｆ1に配置されている。一方、第２受光部１３の設置個所は、レンズ移動部１４によって物体焦点Ｐ2がデュアルディスク３のＣＤ情報面６に位置した場合の対物レンズ７２の像側焦点Ｆ2に配置されている。つまり、第１受光部１２と対物レンズ７１との間隔、第２受光部１３と対物レンズ７２との間隔がそれぞれ上記の距離Ｌ0となる。
なお、本実施形態では、発光部１１は、第１受光部１２とほぼ同位置に配置されている。
【００２１】
図４、図５は、受光選択部１５の回路構成を表す説明図である。ここで、第１受光部１２及び第２受光部１３は、例えば４分割されていて、各部分毎に照射された光の強度に対応した信号を出力するようになっている。そして、受光選択部１５には、第１受光部１２のＢ，Ｄ部分の出力信号及びＡ，Ｃ部分の出力信号を比較する第１オペアンプ２１と、第１受光部１２のＢ，Ｃ部分の出力信号及びＡ，Ｄ部分の出力信号を比較する第２オペアンプ２２と、第２受光部１３のＢ，Ｃ部分の出力信号及びＡ，Ｄ部分の出力信号を比較する第３オペアンプ２３とが設けられている。
【００２２】
第１オペアンプ２１には、位相補正回路２４が接続されていて、この位相補正回路２４によって第１オペアンプ２１から出力されたＦＥ信号が補正されることになる。そして、位相補正回路２４には、駆動回路２５が接続されている。駆動回路２５はＦＥ信号を基にして、レンズ移動部１４のフォーカスアクチュエータ２６を駆動させることで、対物レンズ７を移動させるようになっている。
第２オペアンプ２２には、ピーク検知回路２７及びセレクタ２８が接続されている。ピーク検知回路２７は、第２オペアンプ２２から出力されたＴＥ１信号からピーク部分を検知する。
同様に、第３オペアンプ２３には、ピーク検知回路２９及びセレクタ３０が接続されている。ピーク検知回路２９は、第３オペアンプ２３から出力されたＴＥ２信号からピーク部分を検知する。
【００２３】
ピーク検知回路２７，２９には第４オペアンプ３１が接続されていて、この第４オペアンプ３１が各ピーク検知回路２７，２９から入力されたＴＥ１信号、ＴＥ２信号を比較して、ピークの大きい信号を出力した方に、スイッチ素子３２を接続する。
【００２４】
各セレクタ２８，３０には、図５に示すように、それぞれ抵抗３３，３４を介して帰還回路３６，３７を備えたオペアンプ３５に接続されている。オペアンプ３５によって帰還されたＴＥ１信号やＴＥ２信号はＴＥ信号として制御部１６に出力されるようになっている。
【００２５】
このように、受光選択部１５においては、第１受光部１２、第２受光部１３のうち、出力信号のピークが大きい方、つまり再生スポットの小さい受光部が選択されて、当該選択された受光部の出力信号が制御部１６に出力されることになる。
【００２６】
制御部１６は、受光選択部１５から入力されたＴＥ信号を図示しない信号増幅器に出力する。
【００２７】
次に、本実施形態の作用について説明する。
ＣＤ２若しくはデュアルディスク３がピックアップ装置１にセットされると、制御部１６は、発光部１１を制御して、レーザ光をディスクに照射させる。
【００２８】
第１受光部１２及び第２受光部１３に入射したレーザ光に基づくＦＥ信号によりレンズ移動部１４が駆動して、対物レンズ７を所定の位置まで移動させる。
【００２９】
対物レンズ７が所定の位置に移動した後、制御部１６は、受光選択部１５の選択結果に基づいて、第１受光部１２若しくは第２受光部１３の何れかからの出力信号に基づいたＴＥ信号を信号増幅器に出力する。
【００３０】
具体的に説明すると、ＣＤ２の情報面５を再生する場合には、当該情報面５上に物体焦点Ｐ1が位置するように、レンズ移動部１４によって対物レンズ７１が移動させられている。発光部１１からのレーザ光は、ＣＤ２の情報面５を反射して、対物レンズ７１を介し、プリズム１７によって分光されて、第１受光部１２及び第２受光部１３に入射する。受光選択部１５は、第１受光部１２及び第２受光部１３からの出力信号のうち、ピークが大きい方、つまり再生スポットの小さい受光部を選択する。このとき、物体焦点Ｐ1がＣＤ２の情報面５に位置した場合の対物レンズ７１の像側焦点Ｆ1には第１受光部１２が配置されているので、第１受光部１２が選択されて、当該第１受光部１２の出力信号が制御部１６に出力される。
【００３１】
一方、デュアルディスク３のＣＤ情報面６を再生する場合には、当該ＣＤ情報面６上に物体焦点Ｐ2が位置するように、レンズ移動部１４によって対物レンズ７２が移動させられている。発光部１１からのレーザ光は、デュアルディスク３のＣＤ情報面６を反射して、対物レンズ７２を介し、プリズム１７によって分光されて、第１受光部１２及び第２受光部１３に入射する。このとき、物体焦点Ｐ2がデュアルディスク３のＣＤ情報面６に位置した場合の対物レンズ７２の像側焦点Ｆ2には第２受光部１３が配置されているので、第２受光部１３が選択されて、当該第２受光部１３の出力信号が制御部１６に出力される。
【００３２】
以上のように、本実施形態によれば、レンズ移動部１４によって対物レンズ７の物体焦点Ｐ1がＣＤ２の情報面５に位置した場合及び対物レンズ７の物体焦点Ｐ2がデュアルディスク３のＣＤ情報面６に位置した場合のいずれの場合でも対物レンズ７の像側焦点Ｆ1，Ｆ2に受光部１２，１３が配置されているので、デュアルディスク３とＣＤ２とを切り替えた場合に逐一微調整を行わなくとも、迅速にフォーカスポイントを検出することが可能となる。また、対物レンズ７の物体焦点Ｐ1，Ｐ2がいずれのディスク２，３の情報面５，６に位置していたとしても、像側焦点Ｆ1，Ｆ2には受光部１２，１３が配置されているので、効率的に信号を受信することができ、調整品質が向上されることになる。
【００３３】
[第２の実施の形態]
第１の実施の形態では、２つの受光部１２，１３を設けることにより、対物レンズ７の物体焦点Ｐ1がＣＤ２の情報面５に位置した場合及び対物レンズ７の物体焦点Ｐ2がデュアルディスク３のＣＤ情報面６に位置した場合のいずれの場合でも対物レンズ７の像側焦点Ｆ1，Ｆ2に配置させているが、この第２の実施形態では受光部が対物レンズ７に追従して移動することで、上述のいずれの場合でも対物レンズ７の像側焦点Ｆ1，Ｆ2に受光部を配置させている。なお、以下の説明において、基本原理及び第１の実施の形態と同一の部分においては同一符号を付してその説明を省略する。
【００３４】
図６は、第２の実施の形態のピックアップ装置１０Ａの対物レンズ７の配置例を表す説明図である。図６に示すように、ＣＤ２、デュアルディスク３及び対物レンズ７の配置は、すでに説明した図１のものと同じとなっている。そして、本実施形態であると、ピックアップ装置１０Ａには対物レンズ７の位置を検出するポジションセンサ５１と、ポジションセンサ５１の検出結果に基づいて受光部４０を移動させる受光移動部５３とが設けられている。
【００３５】
図７は、受光移動部５３の概略構成を表す説明図である。図６、図７に示すように、受光移動部５３には、ポジションセンサ５１からの検出結果を増幅するアンプ５４と、アンプ５４からの信号を基に回転駆動するモータ５５と、モータ５５の回転軸に固定されたウォームギア５６と、ウォームギア５６の回転に伴って光軸に沿う方向に移動するとともに、受光部４０を支持するラック５７とが設けられている。
【００３６】
これにより、受光移動部５３は、レンズ移動部１４による対物レンズ７の移動に追従して受光部４０を移動させることができる。つまり、受光移動部５３は、対物レンズ７の物体焦点Ｐ1がＣＤ２の情報面５に位置した場合及び対物レンズ７の物体焦点Ｐ2がデュアルディスク３のＣＤ情報面６に位置した場合のいずれの場合でも受光部４０を対物レンズ７の像側焦点Ｆ1，Ｆ2に配置させることが可能となる。
【００３７】
[第３の実施の形態]
第１，２の実施の形態では、ＣＤ２再生時及びデュアルディスク３の再生時に像側焦点の位置が異なる場合を例示して説明したが、この第３の実施の形態では、いずれの再生時でも像側焦点が一致する場合について説明する。なお、以下の説明において上記実施形態と同一部分においては同一符号を付してその説明を省略する。
【００３８】
まず、基本原理について説明する。図８は、基本原理を説明するための説明図である。この図８に示す対物レンズ７０は、物体側から入射したレーザ光を像側に平行光として透過するレンズである。そして、対物レンズ７０における像側には平行光を集光する集光レンズ６０が配置されている。この集光レンズ６０から、当該集光レンズ６０の像側焦点Ｆまでの距離Ｌ2は、対物レンズ７０と集光レンズ６０との間隔Ｈが変動しても一定である。つまり、レンズ移動部１４が対物レンズ７０を移動させて、ＣＤ２の情報面５や、デュアルディスク３のＣＤ情報面６上に対物レンズ７０の物体焦点Ｐを配置させたとしても、距離Ｌ2はそのままで像側焦点Ｆは移動しないことになる。
【００３９】
図９は、第３の実施の形態のピックアップ装置１０Ｂの対物レンズ７０の配置例を表す説明図である。図９に示すように、本実施形態であると、ピックアップ装置１０Ｂには対物レンズ７０における像側には、当該対物レンズ７０を透過した平行光を集光する集光レンズ６０が配置されている。そして、集光レンズ６０の像側焦点Ｆには受光部６１が配置されている。対物レンズ７０がレンズ移動部１４によって移動させられたとしても、ＣＤ２の情報面５若しくはデュアルディスク３のＣＤ情報面６で反射したレーザ光は、いずれの位置からでも平行光として透過することになる。つまり、集光レンズ６０には平行光のみが入射するので、集光レンズ６０は位置を固定したままでも、ＣＤ２の反射光、デュアルディスク３の反射光を同一の像側焦点Ｆに集光することが可能となる。
なお、本発明は上記実施形態に限らず適宜変更可能であるのは勿論である。
【図面の簡単な説明】
【００４０】
【図１】本発明に係る基本原理を説明するための説明図である。
【図２】第１の実施の形態に係るピックアップ装置の主制御構成を表すブロック図である。
【図３】図２のピックアップ装置の対物レンズの配置例を表す説明図である。
【図４】図２のピックアップ装置に備わる受光選択部の回路構成を表す説明図である。
【図５】図２のピックアップ装置に備わる受光選択部の回路構成を表す説明図である。
【図６】第２の実施の形態のピックアップ装置の対物レンズの配置例を表す説明図である。
【図７】図６のピックアップ装置に備わる受光移動部の概略構成を表す説明図である。
【図８】第３の実施の形態に係る基本原理を説明するための説明図である。
【図９】第３の実施の形態のピックアップ装置の対物レンズの配置例を表す説明図である。
【符号の説明】
【００４１】
１，１０，１０Ａ，１０Ｂ      ピックアップ装置
２      ＣＤ
３      デュアルディスク
４      ライン（ディスク表面）
５      情報面
６      ＣＤ情報面
７      対物レンズ
１１      発光部
１２      第１受光部
１３      第２受光部
１４      レンズ移動部
１５      受光選択部
１６      制御部
１７      プリズム
２１      第１オペアンプ
２２      第２オペアンプ
２３      オペアンプ
２４      位相補正回路
２５      駆動回路
２６      フォーカスアクチュエータ
２７，２９    ピーク検知回路
２８，３０    セレクタ
３１      第４オペアンプ
３２      スイッチ素子
３３，３４    抵抗
３５      オペアンプ
３６，３７    帰還回路
４０      受光部
５１      ポジションセンサ
５３      受光移動部
５４      アンプ
５５      モータ
５６      ウォームギア
５７      ラック
６０      集光レンズ
６１      受光部
７０      対物レンズ
Ｆ，Ｆ1，Ｆ2    像側焦点
Ｐ，Ｐ1，Ｐ2    物体焦点
【図１】
2007265550.tif 000003
【図２】
2007265550.tif 000004
【図３】
2007265550.tif 000005
【図４】
2007265550.tif 000006
【図５】
2007265550.tif 000007
【図６】
2007265550.tif 000008
【図７】
2007265550.tif 000009
【図８】
2007265550.tif 000010
【図９】
2007265550.tif 000011